(57)【要約】      （修正有）【課題】撮影時に複数のレンズユニットを付け替える場合でも容易に設定ができ、ユーザの意図する絵作りに適合した画質調整を可能にする。【解決手段】画像処理装置は、複数の撮影機材を識別する機材識別情報に対応付けて、撮影機材で撮影して生成した撮影画像の画質を調整するパラメータの入力をユーザーから受け付ける入力受付部と、入力受付部が受け付けた入力に基づいて、複数の撮影機材とパラメータとの組を、当該組を識別する組識別情報に対応付けて登録する登録部とを備える。【選択図】図３
2013214857.tif 000002
【特許請求の範囲】
【請求項１】
複数の撮影機材を識別する機材識別情報に対応付けて、前記撮影機材で撮影して生成した撮影画像の画質を調整するパラメータの入力をユーザーから受け付ける入力受付部と、
前記入力受付部が受け付けた入力に基づいて、前記複数の撮影機材と前記パラメータとの組を、当該組を識別する組識別情報に対応付けて登録する登録部と
を備える画像処理装置。
【請求項２】
前記登録部に登録された前記組識別情報のいずれかの選択を受け付ける選択受付部をさらに備える請求項１に記載の画像処理装置。
【請求項３】
撮影時に使用された撮影機材の機材識別情報を取得する情報取得部をさらに備える請求項２に記載の画像処理装置。
【請求項４】
撮影画像を取得する画像取得部と、
前記選択受付部により受け付けられた組を参照することにより、前記情報取得部により取得された機材識別情報に対応付けられたパラメータを用いて前記撮影画像を調整する画像調整部と
をさらに備える請求項３に記載の画像処理装置。
【請求項５】
前記撮影機材を用いて撮影画像を生成する画像生成部をさらに備え、
前記画像生成部は、前記撮影機材の前記機材識別情報を前記撮影画像に対応付けて保存する請求項１に記載の画像処理装置。
【請求項６】
前記登録部に登録された前記組識別情報のいずれかの選択を受け付ける選択受付部をさらに備え、
前記画像生成部は、さらに前記選択受付部により受け付けられた前記組を前記撮影画像に対応付けて保存する請求項５に記載の画像処理装置。
【請求項７】
前記パラメータには、輪郭強調、コントラスト、明るさ、彩度および色相、の少なくともいずれか一つのパラメータが含まれる請求項１から６のいずれか一項に記載の画像処理装置。
【請求項８】
前記複数の撮影機材には、複数のレンズが含まれる請求項１から７のいずれか一項に記載の画像処理装置。
【請求項９】
前記パラメータには、前記複数のレンズのそれぞれの光学補正が含まれる請求項８に記載の画像処理装置。
【請求項１０】
前記登録部は、一のレンズに対する焦点距離を識別する焦点識別情報に対応付けて前記パラメータをさらに登録する請求項８または９に記載の画像処理装置。
【請求項１１】
複数の撮影機材を識別する機材識別情報に対応付けて、前記撮影機材で撮影して生成した撮影画像の画質を調整するパラメータの入力をユーザーから受け付ける入力受付手順と、
前記入力受付手順で受け付けた入力に基づいて、前記複数の撮影機材と前記パラメータとの組を、当該組を識別する組識別情報に対応付けて登録する登録手順と
をコンピュータに実行させるプログラム。
【発明の詳細な説明】
【技術分野】
【０００１】
本発明は、画像処理装置およびプログラムに関する。
【背景技術】
【０００２】
レンズユニットから光学的特性を読み取り、当該レンズユニットを用いて撮影した場合に当該光学的特性に基づいて、エッジ強調等のパラメータを補正して画像を調整するデジタルカメラがある（例えば、特許文献１参照）。
［先行技術文献］
［特許文献」
［特許文献１］特開２００３−９８５８９号公報
【発明の概要】
【発明が解決しようとする課題】
【０００３】
しかしながら、エッジ強調等のパラメータによる画質調整をユーザーが指定することができるデジタルカメラもあり、撮影時に複数のレンズユニットを付け替える場合に設定が煩雑になったり、画質調整された結果がユーザーの意図する絵作りとは異なったりするという課題がある。
【課題を解決するための手段】
【０００４】
本発明の第１の態様においては、複数の撮影機材を識別する機材識別情報に対応付けて、撮影機材で撮影して生成した撮影画像の画質を調整するパラメータの入力をユーザーから受け付ける入力受付部と、入力受付部が受け付けた入力に基づいて、複数の撮影機材とパラメータとの組を、当該組を識別する組識別情報に対応付けて登録する登録部とを備える画像処理装置が提供される。
【０００５】
本発明の第２の態様においては、複数の撮影機材を識別する機材識別情報に対応付けて、前記撮影機材で撮影して生成した撮影画像の画質を調整するパラメータの入力をユーザーから受け付ける入力受付手順と、前記入力受付手順で受け付けた入力に基づいて、前記複数の撮影機材と前記パラメータとの組を、当該組を識別する組識別情報に対応付けて登録する登録手順とをコンピュータに実行させるプログラムが提供される。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】一の実施例にかかるデジタルカメラ１０の背面斜視図を示す。
【図２】デジタルカメラ１０の構成を説明する図である。
【図３】画像処理部３００の機能ブロックの一例を示す。
【図４】画質を調整するパラメータと、当該パラメータを用いて調整される画質調整名との対応表３２２の一例を示す。
【図５】デジタルカメラ１０の動作Ｓ１００のフローチャートの一例を示す。
【図６】画質調整の設定処理Ｓ２００のフローチャートの一例を示す。
【図７】画質調整グループ設定処理Ｓ２１０のフローチャートの一例を示す。
【図８】画質調整グループ設定処理Ｓ２１０において表示部１６に表示される画面遷移図の一例を示す。
【図９】画質調整グループ設定処理Ｓ２１０において表示部１６に表示される画面遷移図の一例を示す。
【図１０】画質調整グループ設定処理Ｓ２１０において表示部１６に表示される画面遷移図の一例を示す。
【図１１】画質調整グループ設定処理Ｓ２１０において表示部１６に表示される画面遷移図の一例を示す。
【図１２】上記図７から図１１に示す画質調整グループの登録がされている場合における、図６のステップＳ２２０に用いられる画面遷移図の一例を示す。
【図１３】画質調整の設定処理Ｓ３００のフローチャートの一例を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、一の実施例にかかるデジタルカメラ１０の背面斜視図を示す。デジタルカメラ１０は、本体部１４と、本体部１４に対して着脱自在なレンズユニット１２とを有する。デジタルカメラ１０は、レンズユニット１２等、交換可能な撮影機材ごとに画質を調整するパラメータをグループ化して登録しておく。さらに、当該グループがユーザーにより選択された場合に、デジタルカメラ１０は選択されたグループに対応したパラメータに基づいて撮影画像の画質を調整して出力する。
【００１０】
本体部１４には、レンズユニット１２を通った被写体像をユーザーが光学的に視認する光学ファインダ１５、本体部１４に対して撮影動作を指示するレリーズボタン１８、本体部１４に対する設定の入力を受け付ける操作ボタン１９、および、撮影により生成した画像を表示する表示部１６が設けられる。表示部１６には、撮影した画像の他にも、本体部１４に対する各種の設定の画面が表示される。
【００１１】
図２は、デジタルカメラ１０の構成を説明する図である。デジタルカメラ１０は、レンズユニット１２の光軸１０８に沿って入射する被写体光束を撮像素子１００へ導く。
【００１２】
レンズユニット１２は、光学系１０４、虹彩絞り１０２およびメモリ１０６を有する。光学系１０４は、複数の光学レンズ群を有し、被写体光束をその焦点面近傍に結像させる。図２では撮影レンズ２０を説明の都合上、瞳近傍に配置された仮想的な１枚のレンズで代表して表している。虹彩絞り１０２は本体部１４からの制御によりまたはユーザーの操作により光学系１０４により形成される被写体光束を絞って光量を調整する。メモリ１０６にはレンズユニット１２の機種を特定する機種特定ＩＤ、レンズユニット１２の光学的特性等が格納されている。光学的特性として、例えば、周辺光量、歪曲収差、分光透過率、ＭＴＦ（Modulation Transfer Function）等の情報が格納される。
【００１３】
同様に、レンズユニット１２と交換可能な他のレンズユニット２２も光学系１１４、虹彩絞り１１２およびメモリ１１６を有する。なお、メモリを有しないさらに他のレンズユニットとも交換可能であってもよい。
【００１４】
本体部１４は、撮像素子１００、制御部２０１、Ａ／Ｄ変換回路２０２、メモリ２０３、駆動部２０４、操作部２０５、ＬＣＤ駆動回路２１０、ＡＦセンサ２１１、測光センサ２１２、メモリカードＩＦ２１４および画像処理部３００を備える。
【００１５】
撮像素子１００は、光学系１０４の焦点面近傍に配置されている。撮像素子１００は、二次元的に複数の光電変換素子が配列された、例えばＣＣＤ、ＣＭＯＳセンサ等のイメージセンサである。撮像素子１００は、駆動部２０４によりタイミング制御されて、受光面上に結像された被写体像を画像信号に変換してＡ／Ｄ変換回路２０２へ出力する。
【００１６】
Ａ／Ｄ変換回路２０２は、撮像素子１００が出力する画像信号をデジタル信号に変換してＲＡＷ画像データとしてメモリ２０３へ出力する。画像処理部３００は、メモリ２０３をワークスペースとして種々の画像処理を施す。特に画像処理部３００は、種々の予め定められたパラメータを用いて画像データが表す画像の画質を調整し、例えばＪＰＥＧ画像データを生成して出力する。
【００１７】
生成された画像データは、ＬＣＤ駆動回路２１０により表示信号に変換され、表示部１６に表示される。また、上記種々の画像データはメモリカードＩＦ２１４を介してメモリカード２１６に記録される。
【００１８】
ＡＦセンサ２１１は、被写体空間に対して複数の測距点が設定された位相差センサであり、それぞれの測距点において被写体像のデフォーカス量を検出する。測光センサ２１２は、光学系１０４を通った被写体像の全体または予め定められた領域の輝度を測定する。
【００１９】
操作部２０５は、レリーズボタン１８、操作ボタン１９等の入力を受け付ける。操作部２０５は、レリーズボタン１８が押下された場合にユーザーから撮影指示があったと判断する。また、操作部２０５は、操作ボタン１９の操作に応じて、表示部１６に各種機能のメニューを表示する入力および当該メニューのいずれかを選択した旨の入力等を受け付けて、制御部２０１にその旨を入力する。
【００２０】
図３は、画像処理部３００の機能ブロックの一例を示す。画像処理部３００は、操作部２０５を介して画質を調節するパラメータの入力を受け付ける入力受付部３１０と、当該パラメータと複数のレンズユニット１２、２２とをグループ化して登録する登録部３２０とを備える。画像処理部３００はさらに、操作部２０５を介してグループの選択を受け付ける選択受付部３３０と、撮影に使用されたレンズユニット１２、２２の情報を取得する情報取得部３４０と、メモリ２０３から画像データを取得する画像取得部３６０と、情報取得部３４０で取得されたレンズユニット１２、２２の情報および登録部３２０に登録されたパラメータを用いて画像データの表す画像の画質を調整してメモリ２０３に出力する画像調整部３７０と備える。画像処理部３００の上記機能の一部または全部はコンピュータプログラムとしてＣＤ−ＲＯＭ３８０等により提供されてインストールされてもよい。
【００２１】
図４は、画質を調整するパラメータと、当該パラメータを用いて調整される画質調整名との対応表３２２の一例を示す。画質の調整は、撮影して得られたＲＡＷ画像に対してユーザーの絵作りを反映した仕上がりにする画像処理であって、画質調整、ピクチャースタイル、ピクチャーコントロール等と呼ばれることもある。当該対応表３２２は例えばテーブル情報として、メモリ２０３に格納される。
【００２２】
対応表３２２において、画質を調整するパラメータには、輪郭強調、コントラスト、明るさ、彩度および色相が含まれる。また、画質調整名として、「標準」「ソフト」「鮮やか」「ポートレート」が準備されており、各画質調整名に対して各パラメータの値が予め設定されている。これに加えて、画質調整名を「ユーザー設定１」等として、ユーザーが各パラメータを設定して格納できるようになっていてもよい。
【００２３】
図５は、デジタルカメラ１０の動作Ｓ１００のフローチャートの一例を示す。デジタルカメラ１０の電源スイッチがＯＮされることにより、当該デジタルカメラ１０の動作が開始する。
【００２４】
操作部２０５は、操作ボタン１９の操作によって画質調整の設定に関するメニューを表示すべき旨の選択が行われたかどうかを監視する（Ｓ１０１）。操作部２０５がメニュー表示の選択を検出した場合に（Ｓ１０１：Ｙｅｓ）、制御部２０１は、メニューを表示して設定処理を実行する（Ｓ２００）。一方、操作部２０５がメニュー表示の選択を検出しない場合に（Ｓ１０１：Ｎｏ）、制御部２０１は、撮影処理を実行する（Ｓ３００）。
【００２５】
制御部２０１は、電源スイッチがＯＦＦされるかどうかを監視する（Ｓ１０４）。電源スイッチがＯＦＦされるまでは（Ｓ１０４：Ｎｏ）、ステップＳ１０１に戻り動作を続ける。電源スイッチがＯＦＦされると（Ｓ１０４：Ｙｅｓ）、制御部２０１は、デジタルカメラ１０の動作を終了する。
【００２６】
図６は、画質調整の設定処理Ｓ２００のフローチャートの一例を示す。設定処理Ｓ２００は、上記ステップＳ１０１においてメニュー表示が選択された場合に開始する。
【００２７】
画像処理部３００は、ＬＣＤ駆動回路２１０を介してメニューを表示部１６に表示する。当該メニューには、個々の撮影に対して設定する画質調整の選択、パラメータの設定を等をする「画質調整設定」の項目と、複数の撮影機材に対して画質調整名をグループ化する画質調整グループ設定」の項目とを含む。
【００２８】
入力受付部３１０は、操作部２０５に基づいてユーザーがいずれの項目を選択したかを監視する（Ｓ２０２）。「画質調整グループ」の項目が選択された場合には後述の画質調整グループ設定処理が実行される（Ｓ２１０）。
【００２９】
ステップＳ２０２において、「画質調整」の項目が選択された場合には画像調整設定処理が実行される（Ｓ２２０）。ここで、画像調整設定処理Ｓ２２０には、以降の撮影動作において、いずれの画質調整処理をして画像データを出力するかを画質調整名で設定する処理、上記対応表３２２における個々の画質調整名に対するパラメータの値の変更、対応表３２２における「ユーザー設定１」の設定等の処理が含まれる。
【００３０】
入力受付部３１０は、操作部２０５を介してユーザーからメニュー表示の終了を受け付けたかどうかを監視する（Ｓ２０５）。終了を受け付けない場合は（Ｓ２０５：Ｎｏ）、ステップＳ２０１に戻り、終了を受け付けた場合は（Ｓ２０５：Ｙｅｓ）、上記動作Ｓ１００に戻る。
【００３１】
図７は、画質調整グループ設定処理Ｓ２１０のフローチャートの一例を示す。図８から図１１は、画質調整グループ設定処理Ｓ２１０において表示部１６に表示される画面遷移図の一例を示す。
【００３２】
画質調整グループ設定処理Ｓ２１０は、上記ステップＳ２０２において図８の画面（１）が表示された状態で、「画質調整グループ」の項目が選択された場合に動作を開始する。
【００３３】
入力受付部３１０は、図８の画面（２）に示す画質調整グループのメニューを表示して（Ｓ２１１）、いずれの項目が選択されたかを監視する（Ｓ２１２）。以下、各項目のそれぞれが選択された場合を説明する。なお、特にことわらない限りいずれの画面も表示部１６に表示されるので、その旨の記載を省略する。また、ユーザーからの操作は特にことわらない限りいずれも操作部２０５を介して入力されるので、その旨の記載を省略する。
【００３４】
ステップＳ２１１において、ユーザーにより「登録と編集」の項目が選択されたことを入力受付部３１０が検出した場合に、編集登録処理が実行される（Ｓ２１３）。この場合に、入力受付部は、図８の（３）に示す編集および登録が可能な画質調整グループの一覧を、その識別情報Ｇ１からＧ４とともに表示する。図８の（３）に示す例において、Ｇ１からＧ４の最大４グループが編集および登録されるが、最大数はこれに限られない。例えばメモリ２０３の容量等に応じて、グループの最大数が設定されてもよい。
【００３５】
入力受付部３１０は、ユーザーによりいずれかの画質調整グループが選択されると、図８の（４）に示すように、レンズユニット１２、２２の名称と画質調整名とを対応付けて表示する。以下、未登録の画質調整グループＧ３が新たに登録される場合を説明する。未登録の場合には、同図に示すように、レンズユニット１２、２２の名称と画質調整名とが初期値「−」で表示される。
【００３６】
入力受付部３１０は、図８の（４）においてユーザーによりレンズの項目が選択されると、図８の（５）に示すように、レンズ名の一覧を表示する。ここで、表示されるレンズ名は、予めメモリ２０３に登録されているものであってもよいし、現在、本体部１４に装着されているレンズユニット１２のメモリ１０６から情報取得部３４０が読み出したものであってもよいし、過去に本体部１４に装着されたことがあって情報取得部３４０が読み出してメモリ２０３に書き込んでおいたものでもよい。入力受付部３１０は、図８の（６）に示すように、一覧からユーザーによりレンズ名が選択された場合にその旨を表示する。
【００３７】
入力受付部３１０は、図８の（６）においてユーザーにより「画質調整」の項目が選択されると、図８の（７）に示すように、画質調整名の一覧を表示する。ここで、入力受付部３１０は、メモリ２０３に格納されている対応表３２２を参照して画質調整名を表示する。入力受付部３１０は、図８の（８）に示すように、一覧からユーザーにより選択された画質調整名をレンズ名に対応付けて表示する。さらに、図８の（８）から（１０）に示されるように、追加設定する未登録の項目が下段に表れて、複数のレンズ名とそれぞれのレンズ名に対応付けられた画質調整名が設定できる。この場合に、例えば、レンズの項目を選択しない状態で画質調整名を選択すると、登録されているレンズ名以外のレンズ名に対する設定項目が表れる。レンズ名と画質調整名とが対応付けられることにより、当該レンズ名と画質を調整するパラメータとが対応表３２２を用いて対応付けられる。
【００３８】
また、図８の（１０）の「レンズ手動設定」の項目は、レンズユニット側にメモリ等が搭載されておらず、本体部１４が装着されているレンズユニットを認識できない場合に、当該レンズユニットと画質調整とを対応付けるのに用いられる。この場合には上記メニューに加えて当該レンズユニットの焦点距離及び開放Ｆ値を入力するメニューを設けて、入力受付部３１０がユーザーからの入力を受け付けて焦点距離及び開放Ｆ値を登録し、レンズ名を「ユーザー手動設定Ｎｏ．１」等に割り当てる。
【００３９】
入力受付部３１０はさらに、図８の（１１）に示すように、上記複数のレンズ名と画像調整名とを対応付けた画像調整グループの登録名の入力を受け付ける。登録部３２０は、入力受付部３１０が受け付けた上記入力に基づいて、画像調整グループの登録名、複数のレンズ名およびそれぞれのレンズに対する画像調整名を対応付けて、メモリ２０３に格納する。例えば、図８の（１２）の例において、画像調整グループＧ３として、図８の（１０）に示されるレンズ名と画像調整名との組み合わせが、グループ名「Ｃ＿ＳＴＡＮＤＡＲＤ−１」として格納される。
【００４０】
以上により、画質調整グループの編集登録処理Ｓ２１３が終了する。入力受付部３１０は、ユーザーから画質調整グループの設定処理の終了が指示されなければステップＳ２１１に戻り、終了が指示された場合には画質調整グループの設定処理を終了する（Ｓ２１７）。
【００４１】
上記ステップＳ２１２において、ユーザーにより「登録名変更」の項目が選択されたことを入力受付部３１０が検出した場合に、登録名変更処理が実行される（Ｓ２１４）。この場合に、入力受付部３１０は、ユーザーの操作に基づいて図９の（１）から（３）に示す画面を表示する。図９（３）において、入力受付部３１０は、メモリ２０３を参照して登録名が変更可能な画質調整グループの項目の一覧を表示する。
【００４２】
いずれかの画質調整グループがユーザーにより選択された場合に、入力受付部３１０は図９の（４）に示す画面においてユーザーの入力を受け付ける。当該入力に基づいて、登録部３２０はメモリ２０３に格納されている画像調整グループのグループ名を更新する。図９の（５）に示す例においては、図９の（４）での入力に基づいて、画像調整グループＧ３の名称が「Ｃ＿ＳＴＡＮＤＡＲＤ−２」に変更される。
【００４３】
以上により、画質調整グループの登録名変更処理Ｓ２１４が終了する。以降の動作は上記ステップＳ２１４以降の動作と同様である。
【００４４】
上記ステップＳ２１２において、ユーザーにより「削除」の項目が選択されたことを入力受付部３１０が検出した場合に、削除処理が実行される（Ｓ２１５）。この場合に、入力受付部３１０は、ユーザーの操作に基づいて図１０の（１）から（３）に示す画面を表示する。図１０（３）において、入力受付部３１０は、メモリ２０３を参照して登録名が変更可能な画質調整グループの項目の一覧を表示する。
【００４５】
いずれかの画質調整グループがユーザーにより選択された場合に、入力受付部３１０は図１０の（４）に示す画面において、削除の確認をユーザーに要求する。入力受付部３１０がユーザーから削除の確認を受け付けたら、登録部３２０は当該画像調整グループの情報をメモリ２０３から削除して、未登録の状態に戻す。図１０の（５）に示す例においては、図１０の（３）および（４）での入力に基づいて、画像調整グループＧ２の情報が削除される。
【００４６】
以上により、画質調整グループの登録名変更処理Ｓ２１５が終了する。以降の動作は上記ステップＳ２１４以降の動作と同様である。
【００４７】
上記ステップＳ２１２において、ユーザーにより「メモリカードを使用」の項目が選択されたことを入力受付部３１０が検出した場合に、カード読出処理が実行される（Ｓ２１６）。この場合に、入力受付部３１０は、ユーザーの操作に基づいて図１１の（１）および（２）に示す画面を表示し、メモリカードＩＦ２１４を介してメモリカード２１６から画質調整グループの情報を読み出す。メモリカード２１６に格納されている画質情報グループの情報は、上記登録部がメモリ２０３に格納した情報がメモリカード２１６に過去に転送されたものであってもよいし、デジタルカメラ１０の供給元等から提供されるプリセットの情報であってもよい。図１０（３）において、入力受付部３１０は、メモリカード２１６から読み出した画質調整グループ名の一覧を表示する。
【００４８】
いずれかの画質調整グループがユーザーにより選択された場合に、選択受付部３３０は、当該画質調整グループを登録部３２０を介してメモリ２０３に格納する。図１１の（４）に示す例において、メモリカード２１６から読み出した画質調整グループ名「ＳＴＤ＿ＬＥＮＳ＿ＣＯＯＬ」に対応付けられた画質調整グループの情報が画質調整グループＧ４に割り当てられて、メモリ２０３に格納される。
【００４９】
以上により、画質調整グループのカード読出処理Ｓ２１６が終了する。以降の動作は上記ステップＳ２１４以降の動作と同様である。
【００５０】
図１２は、上記図７から図１１に示す画質調整グループの登録がされている場合における、図６のステップＳ２２０に用いられる画面遷移図の一例を示す。上記の通り、ステップＳ２２０は、以降の撮影動作において、いずれの画質調整処理をして画像データを出力するかを画質調整名で設定する処理等が含まれるが、さらに、以降の撮影動作において、画質調整グループの設定を用いるか否か、および、画質調整グループのいずれを選択するか等の処理が含まれる。
【００５１】
この場合に、まず入力受付部３１０は図１２の（１）および（２）の画面を表示する。ここで、図１２の（２）がさらに下方にスクロールされると、図１２の（３）に示すように、入力受付部３１０は、個々の撮影に対する画質調整の項目名に続けて画質調整グループ名の一覧を表示する。ここで、入力受付部３１０はメモリ２０３から読み出した画質調整グループ名の一覧を表示する。
【００５２】
ユーザーからいずれかの画質調整グループが選択されると、選択受付部３３０は選択された画質調整グループの識別情報をメモリ２０３に格納する。図１２の（４）に示す例においては、図１２の（３）で「ＳＴＤ＿ＬＥＮＳ＿ＣＯＯＬ」という名称の画質調整グループＧ４が選択されたことに対応して、図１２の（４）において当該画質調整グループＧ４が選択された旨が表示されているとともに、メモリ２０３にその旨が格納される。
【００５３】
図１３は、画質調整の設定処理Ｓ３００のフローチャートの一例を示す。設定処理Ｓ３００は、上記ステップＳ１０１においてメニュー表示が選択されていない場合に開始する。
【００５４】
操作部２０５は、レリーズボタン１８の半押しを検出するまで待機する（Ｓ３０２：Ｎｏ）。操作部２０５がレリーズボタン１８の半押しを検出すると（Ｓ３０２：Ｙｅｓ）、ＡＦセンサ２１１、測光センサ２１２等の検出が開始されて、露光条件等の撮影条件が設定される（Ｓ３０４）。
【００５５】
操作部２０５がレリーズボタン１８の全押しを検出するまで（Ｓ３０６：Ｎｏ）、上記ステップＳ３０４の動作を繰り返す。操作部２０５がレリーズボタン１８の全押しを検出すると（Ｓ３０６：Ｙｅｓ）、制御部２０１の指示により駆動部２０４が撮像素子１００を駆動して画像信号を読み出し、Ａ／Ｄ変換回路がデジタル信号に変換して、ＲＡＷ画像データとしてメモリ２０３へ出力する（Ｓ３０８）。
【００５６】
情報取得部３４０は、登録部３２０を介してメモリ２０３を参照し、画像調整グループが選択済みであるか否かを判断する（Ｓ３１０）。画像調整グループが選択済みでない場合に（Ｓ３１０：Ｎｏ）、画像調整部３７０は通常の画像処理をする（Ｓ３１２）。通常画像処理において、メニューでＪＰＥＧ画像出力が選択されている場合には、画像取得部３６０がメモリ２０３から取得したＲＡＷ画像に対して、上記ステップＳ２２０において設定されている画像調整を行う。当該画像調整はユーザーがメニューで設定を変更するまではいずれの撮影に対しても維持される。一方、通常画像処理においてＲＡＷ画像出力が選択されている場合には、画像取得部３６０はＲＡＷ画像に対して画像調整を行わない。
【００５７】
上記ステップＳ３１０において画像調整グループが選択済みである場合に（Ｓ３１０：Ｙｅｓ）、情報取得部３４０は、撮影時に使用されたレンズユニットとして現在装着されているレンズユニット１２のメモリ１０６から当該レンズユニット１２の識別情報を取得する（Ｓ３１４）。
画像調整部３７０は、設定されている画像調整グループの情報を参照することにより、情報取得部３４０により取得されたレンズユニット１２の識別情報に対応付けられた画質調整名を特定する。さらに画像調整部３７０は、対応表３２２を参照することにより当該画質調整名に対応付けられたパラメータを用いて、画像取得部３６０がメモリ２０３から取得したＲＡＷ画像をＪＰＥＧ画像に変換するとともにその画質を調整する（Ｓ３１６）。
【００５８】
例えば、図８に示す画像調整グループＧ３が選択されている場合に、情報取得部３４０がレンズユニット１２の識別情報「ＡＦ−Ｓ  ２４ｍｍ  ｆ・１．４Ｇ  ＥＧ」を取得したときは、画像調整部３７０は、図８の（９）に示されているように当該レンズユニットに対応付けられている画像調整名「Ｃ１」すなわち「ユーザー設定１」を特定する。さらに画像調整部３７０は、対応表３２２において画像調整名「ユーザー設定１」に対応付けられたパラメータを読み出して、当該パラメータで画質を調整する。
【００５９】
なお、情報取得部３４０がレンズユニットの識別情報を取得することができなかった場合であって、焦点距離及び開放Ｆ値が取得できたときは、画像調整部３７０は、当該焦点距離及び開放Ｆ値が当該画質調整グループＧ３に登録されている「レンズ手動設定」に対応づけられた画質調整名を特定する。また、情報取得部３４０が取得したレンズユニットの識別情報が画像調整グループＧ３に登録されていなかった場合、情報取得部３４０が識別情報も焦点距離及び開放Ｆ値のいずれかも取得できなかった場合に、画像調整部３７０は、初期設定された画質調整名を特定してもよい。この場合に例えば、図８の（１０）に示すように、レンズ名「−」に対応付けられた画質調整名を特定してもよい。
【００６０】
画像調整部３７０は、画像調整後のＲＡＷ画像またはＪＰＥＧ画像の画像ファイルをメモリカード２１６へ出力する（Ｓ３１８）。以上により、画質調整の設定処理Ｓ３００の動作が終了する。
【００６１】
以上、本実施形態によれば、レンズユニット１２、２２ごとにユーザーの意図に沿って画質が調整された画像を得ることができ、ユーザーの意図に沿った絵作りをすることができる。特に、撮像処理中にユーザーが意識することなく、レンズユニット１２、２２を識別して、レンズユニット１２、２２ごとに予め設定された画質調整が特定される。よって、撮影現場でユーザーがレンズユニット１２、２２を交換しながら撮影した場合に、自動でそれぞれのレンズユニット１２、２２に対して設定された画質調整処理を実行することができる。さらに、複数の画像調整グループを設定して、それらのいずれかを選択することができるので、同じレンズユニット１２に対しても、撮影現場ごとに画像調整グループの選択を切り替えることで、撮影現場ごとに異なる絵作りをすることができる。
【００６２】
上記実施形態において、画質調整のパラメータとして、レンズユニット１２、２２の光学的特性へ補正値が含まれてもよい。この場合に例えば、メモリ２０３に予めレンズユニットの識別情報に対応付けて、画質調整名と光学的特性の情報との組が格納されていてもよい。当該光学的特性の情報は本体部１４にレンズユニット１２、２２が装着された場合にメモリ１０６、１１６から読み出されてもよい。これにより、一つのレンズユニットに対しても画質調整ごとに異なる補正をかけることができ、レンズユニットの光学的な個性を活かした絵作りをすることができる。
【００６３】
上記実施形態において、レンズユニットがズームレンズである場合に、焦点距離の範囲ごとに画質調整を対応付けて登録することができてもよい。上記実施形態において、撮影距離の範囲ごとに画質調整を対応付けて登録することができてもよい。これにより、一つのレンズユニットに対してより多彩な絵作りをすることができる。
【００６４】
なお、上記実施形態において、画像処理部３００の各機能は本体部１４に設けられるが、機能を設ける場所はこれに限られない。例えば、画像処理部３００の全ての機能または一部の機能が、当該本体部１４から撮影画像を取得するパーソナルコンピュータ（ＰＣ）に設けられてもよい。
【００６５】
また、画像処理部３００は、画像ファイルのヘッダ部分に、レンズユニット１２の識別情報を書き込んでもよい。これに代えてまたはこれに加えて、画像処理部３００は、当該ヘッダ部分に、撮影時に選択されていた画質調整グループの識別情報を書き込んでもよい。また、画像処理部３００は、撮影時に選択されていた画質調整グループとレンズユニット１２の識別情報によって特定された、画質調整名を当該ヘッダ部分に書き込んでもよい。これらの情報は、ＰＣ側で画質調整処理をする場合に用いられてもよい。
【００６６】
また、上記実施形態においては、複数のレンズユニット１２、２２のそれぞれに画質調整のパラメータを対応付けたが、撮影機材はレンズユニット１２、２２に限られない。他の撮影機材として、ストロボ、ボディ等が挙げられる。他の撮影機材として複数のボディに対して画質調整のパラメータが対応付けられる場合には、当該パラメータにはクロップの有無が含まれていてもよい。
【００６７】
また、上記実施形態ではデジタルカメラ１０が静止画を生成する場合を説明したが、動画を生成する場合にも同様に用いることができる。特に動画の場合には複数の撮影機材を取り替えて撮った動画をつなぐと撮影機材ごとの違いが目立つことがあるが、本実施形態を用いて撮影機材ごとの違いが少なくなるような画質調整を撮影機材ごとに設定して画像調整グループに登録しておくことにより、その違いを簡便に抑えることができる。
【００６８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７０】
１０  デジタルカメラ、１２  レンズユニット、１４  本体部、１６  表示部、１８  レリーズボタン、１９  操作ボタン、２２  レンズユニット、１００  撮像素子、１０２  絞り、１０４  光学系、１０６  メモリ、１０８  光軸、１１２  絞り、１１４  光学系、１１６  メモリ、２０１  制御部、２０２  Ａ／Ｄ変換回路、２０３  メモリ、２０４  駆動部、２０５  操作部、３００  画像処理部、２１０  ＬＣＤ駆動回路、２１１  ＡＦセンサ、２１２  測光センサ、２１４  メモリカードＩＦ、２１６  メモリカード、３００  画像処理部、３１０  入力受付部、３２０  登録部、３２２  対応表、３３０  選択受付部、３４０  情報取得部、３６０  画像取得部、３７０  画像調整部、３８０  ＣＤ−ＲＯＭ
【図１】
2013214857.tif 000003
【図２】
2013214857.tif 000004
【図３】
2013214857.tif 000005
【図４】
2013214857.tif 000006
【図５】
2013214857.tif 000007
【図６】
2013214857.tif 000008
【図７】
2013214857.tif 000009
【図８】
2013214857.tif 000010
【図９】
2013214857.tif 000011
【図１０】
2013214857.tif 000012
【図１１】
2013214857.tif 000013
【図１２】
2013214857.tif 000014
【図１３】
2013214857.tif 000015